(57)【要約】  第１セルにおけるある形式の基準信号のダウンリンク及びアップリンクの両送信に割り当てられる１つ以上の無線リソースを識別する情報を送信するように第１セルの無線装置を制御し；及び前記１つ以上の無線リソースを使用して前記第１セルにおいて前記形式の基準信号を送信するように前記無線装置を制御する；ことを含み、前記１つ以上の無線リソースは、１つ以上の他の干渉セルにおける前記形式の基準信号の送信に使用することから除外されるようにする技術。【選択図】      図１
2016521098.tif 000002
【特許請求の範囲】
【請求項１】
第１セルにおけるある形式の基準信号のダウンリンク及びアップリンクの両送信に割り当てられる１つ以上の無線リソースを識別する情報を送信するように第１セルの無線装置を制御し；及び前記１つ以上の無線リソースを使用して前記第１セルにおいて前記形式の基準信号を送信するように前記無線装置を制御する；ことを含み、前記１つ以上の無線リソースは、１つ以上の他の干渉セルにおける前記形式の基準信号の送信に使用することから除外されるようにした、方法。
【請求項２】
第１セルにおけるある形式の基準信号のダウンリンク及びアップリンクの両送信に対する１つ以上の無線リソースであって且つ１つ以上の干渉セルにおける前記形式の基準信号の送信に使用することから除外される１つ以上の無線リソースを識別する情報を受信するように無線装置を制御し；及び前記１つ以上の無線リソースを使用して前記形式の基準信号を送信するように前記無線装置を制御する；ことを含む方法。
【請求項３】
前記１つ以上の無線リソースは、セルにおける空間的に多重化された送信のために前記無線装置により送信されるアンテナごとに各無線リソースを含む、請求項１又は２に記載の方法。
【請求項４】
前記第１セルにおける前記形式の基準信号のアップリンク及びダウンリンクの両送信に割り当てられる前記１つ以上の無線リソースの数は、前記第１セルにおける空間的に多重化された送信のための最大送信ランク以上である、請求項１又は２に記載の方法。
【請求項５】
前記１つ以上の無線リソースは、少なくとも、第１周波数領域で前記第１セルにおいて送信するために予約される１つ以上の無線リソースの第１セット、及びそれとは異なる第２周波数領域で前記第１セルにおいて送信するために予約される１つ以上の無線リソースの第２セットを含む、請求項１又は２に記載の方法。
【請求項６】
前記第１周波数領域は、前記第２周波数領域を経ての送信より送信ランクの高い送信に使用される、請求項５に記載の方法。
【請求項７】
前記基準信号の形式は、復調基準信号、チャンネル状態情報基準信号、及びサウンディング基準信号、の少なくとも１つである、請求項１から６のいずれかに記載の方法。
【請求項８】
前記第１セルにおいてダウンリンク及びアップリンクの両送信に使用される１つ以上の無線リソースは、前記１つ以上の他の干渉セルにおいて前記形式の基準信号の送信に使用される１つ以上の無線リソースに対して少なくとも実質的に直交する、請求項１から７のいずれかに記載の方法。
【請求項９】
前記第１セル及び前記１つ以上の他の干渉セルは、セルのグループを含み、そして前記１つ以上の無線リソースは、前記セルのグループ内の他のセルにおける前記形式の基準信号の送信に使用することから除外される、請求項１から８のいずれかに記載の方法。
【請求項１０】
前記１つ以上の無線リソースは、サブキャリアのセットを含み、そして前記セルのグループの各他のセルにおける前記形式の基準信号の送信は、前記第１セルと同じ時間リソース及びサブキャリアの異なるセットを使用して行われる、請求項９に記載の方法。
【請求項１１】
前記１つ以上の無線リソースは、一定振幅ゼロ自己相関シーケンスの１つ以上の繰り返しシフトバージョンのセットを含み、そして前記セルのグループの各他のセルにおける前記形式の基準信号の送信は、前記第１セルと同じ周波数−時間リソース及び同じ一定振幅ゼロ自己相関シーケンスの１つ以上の繰り返しシフトバージョンの各異なるセットを使用して行われる、請求項９に記載の方法。
【請求項１２】
一定振幅ゼロ自己相関シーケンスの１つ以上の繰り返しシフトバージョンの前記第１セットは、前記第１セルにおいて前記第１形式の基準信号を送信するために他の無線装置により共通に使用される、請求項１１に記載の方法。
【請求項１３】
前記周波数−時間リソースは、物理的リソースブロックの既定部分を含む、請求項１１又は１２に記載の方法。
【請求項１４】
前記第１セルにおける空間的に多重化された送信のための最大送信ランクは、前記セルのグループの少なくとも１つの他のセルにおける最大送信ランクとは異なる、請求項９に記載の方法。
【請求項１５】
前記第１セルは、前記第１周波数領域に対する干渉セルの第１グループの一部分であり、前記第１セルは、前記第２周波数領域に対する干渉セルの第２グループの一部分であり、前記第１セットの１つ以上の無線リソースは、前記第１グループのセル内の他のセルにおける前記第１周波数領域で前記形式の基準信号を送信するのに使用することから除外され、そして前記第２セットの１つ以上の無線リソースは、前記第２グループのセル内の他のセルにおける前記第２周波数領域で前記形式の基準信号を送信するのに使用することから除外される、請求項５に記載の方法。
【請求項１６】
第１セルにおいて１つ以上の送信を受信するように無線装置を制御し、１つ以上の送信は、１つ以上の干渉セルにおける１つ以上の送信により干渉を受けるものであり；及び前記１つ以上の他の干渉セルにおいて送信されるある形式の基準信号から導出される干渉チャンネル情報を考慮して、前記形式の基準信号のアップリンク及びダウンリンクの両送信に対する１つ以上の無線リソースの各セットを使用して、前記第１セルにおいて前記１つ以上の送信を復調する；ことを含み、前記１つ以上の干渉セルのうちのセルに対する１つ以上の無線リソースの各セットは、前記第１セル、及び前記１つ以上の干渉セルのうちの他のセルにおいて前記形式の基準信号のダウンリンク又はアップリンクのいずれかの送信に使用することから除外されるようにした、方法。
【請求項１７】
受信強度が所定のスレッシュホールドを越える基準信号から導出される干渉チャンネル情報のみを選択的に考慮することを更に含む、請求項１６に記載の方法。
【請求項１８】
複数の干渉セルにおける一形式の基準信号の送信を制御することを含み、前記複数の干渉セルの各セルが、前記形式の基準信号のダウンリンク及びアップリンクの両送信に対して、前記複数の干渉セルの他のセルにおける前記形式の基準信号のダウンリンク又はアップリンクのいずれかの送信に使用することから除外される１つ以上の無線リソースを使用するようにした、方法。
【請求項１９】
プロセッサ、及びコンピュータプログラムコードを含むメモリを備えた装置において、そのメモリ及びコンピュータプログラムコードは、プロセッサとで、装置が、第１セルにおけるある形式の基準信号のダウンリンク及びアップリンクの両送信に割り当てられる１つ以上の無線リソースを識別する情報を送信するように第１セルの無線装置を制御し；及び前記１つ以上の無線リソースを使用して前記第１セルにおいて前記形式の基準信号を送信するように前記無線装置を制御する；ように構成され、前記１つ以上の無線リソースは、１つ以上の他の干渉セルにおける前記形式の基準信号の送信に使用することから除外されるようにした、装置。
【請求項２０】
プロセッサ、及びコンピュータプログラムコードを含むメモリを備えた装置において、そのメモリ及びコンピュータプログラムコードは、プロセッサとで、装置が、第１セルにおけるある形式の基準信号のダウンリンク及びアップリンクの両送信に対する１つ以上の無線リソースであって且つ１つ以上の干渉セルにおける前記形式の基準信号の送信に使用することから除外される１つ以上の無線リソースを識別する情報を受信するように無線装置を制御し；及び前記１つ以上の無線リソースを使用して前記形式の基準信号を送信するように前記無線装置を制御する；ように構成された装置。
【請求項２１】
前記１つ以上の無線リソースは、セルにおける空間的に多重化された送信に対して無線装置により使用されるアンテナごとに各無線リソースを含む、請求項１９又は２０に記載の装置。
【請求項２２】
前記第１セルにおける前記形式の基準信号のアップリンク及びダウンリンクの両送信に割り当てられる前記１つ以上の無線リソースの数は、前記第１セルにおける空間的に多重化された送信に対する最大送信ランク以上である、請求項１９又は２０に記載の装置。
【請求項２３】
前記１つ以上の無線リソースは、少なくとも、第１周波数領域で前記第１セルにおいて送信のために予約される１つ以上の無線リソースの第１セット、及びそれとは異なる第２周波数領域で前記第１セルにおいて送信のために予約される１つ以上の無線リソースの第２セットを含む、請求項１９又は２０に記載の装置。
【請求項２４】
前記第１周波数領域は、前記第２周波数領域を経ての送信より送信ランクの高い送信に使用される、請求項２３に記載の装置。
【請求項２５】
前記基準信号の形式は、復調基準信号、チャンネル状態情報基準信号、及びサウンディング基準信号、の少なくとも１つである、請求項１９から２４のいずれかに記載の装置。
【請求項２６】
前記第１セルにおいてダウンリンク及びアップリンクの両送信に使用される１つ以上の無線リソースは、前記１つ以上の他の干渉セルにおいて前記形式の基準信号の送信に使用される１つ以上の無線リソースに対して少なくとも実質的に直交する、請求項１９から２５のいずれかに記載の装置。
【請求項２７】
前記第１セル及び前記１つ以上の他の干渉セルは、セルのグループを含み、そして前記１つ以上の無線リソースは、前記セルのグループ内の他のセルにおける前記形式の基準信号の送信に使用することから除外される、請求項１９から２６のいずれかに記載の装置。
【請求項２８】
前記１つ以上の無線リソースは、サブキャリアのセットを含み、そして前記セルグループの各他のセルにおける前記形式の基準信号の送信は、前記第１セルと同じ時間リソース及びサブキャリアの異なるセットを使用して行われる、請求項２７に記載の装置。
【請求項２９】
前記１つ以上の無線リソースは、一定振幅ゼロ自己相関シーケンスの１つ以上の繰り返しシフトバージョンのセットを含み、そして前記セルグループの各他のセルにおける前記形式の基準信号の送信は、前記第１セルと同じ周波数−時間リソース、及び同じ一定振幅ゼロ自己相関シーケンスの１つ以上の繰り返しシフトバージョンの各異なるセットを使用して行われる、請求項２７に記載の装置。
【請求項３０】
一定振幅ゼロ自己相関シーケンスの１つ以上の繰り返しシフトバージョンの前記第１セットは、前記第１セルにおいて前記第１形式の基準信号を送信するために他の無線装置により共通に使用される、請求項２９に記載の装置。
【請求項３１】
前記周波数−時間リソースは、物理的リソースブロックの既定部分を含む、請求項２９又は３０に記載の装置。
【請求項３２】
前記第１セルにおける空間的に多重化された送信のための最大送信ランクは、前記セルグループの少なくとも１つの他のセルにおける最大送信ランクとは異なる、請求項２７に記載の装置。
【請求項３３】
前記第１セルは、前記第１周波数領域に対する干渉セルの第１グループの一部分であり、前記第１セルは、前記第２周波数領域に対する干渉セルの第２グループの一部分であり、前記第１セットの１つ以上の無線リソースは、前記第１グループのセル内の他のセルにおける前記第１周波数領域で前記形式の基準信号を送信するのに使用することから除外され、そして前記第２セットの１つ以上の無線リソースは、前記第２グループのセル内の他のセルにおける前記第２周波数領域で前記形式の基準信号を送信するのに使用することから除外される、請求項２３に記載の装置。
【請求項３４】
プロセッサ、及びコンピュータプログラムコードを含むメモリを備えた装置において、そのメモリ及びコンピュータプログラムコードは、プロセッサとで、装置が、第１セルにおいて１つ以上の送信を受信するように無線装置を制御し、１つ以上の送信は、１つ以上の干渉セルにおける１つ以上の送信により干渉を受けるものであり；及び前記１つ以上の他の干渉セルにおいて送信されるある形式の基準信号から導出される干渉チャンネル情報を考慮して、前記形式の基準信号のアップリンク及びダウンリンクの両送信に対する１つ以上の無線リソースの各セットを使用して、前記第１セルにおいて前記１つ以上の送信を復調する；ように構成され、前記１つ以上の干渉セルのうちのセルに対する１つ以上の無線リソースの各セットは、前記第１セル、及び前記１つ以上の干渉セルのうちの他のセルにおいて前記形式の基準信号のダウンリンク又はアップリンクのいずれかの送信に使用することから除外されるようにした、装置。
【請求項３５】
前記メモリ及びコンピュータプログラムコードは、プロセッサとで、装置が、受信強度が所定のスレッシュホールドを越える基準信号から導出される干渉チャンネル情報のみを選択的に考慮するように構成される、請求項３４に記載の装置。
【請求項３６】
プロセッサ、及びコンピュータプログラムコードを含むメモリを備えた装置において、そのメモリ及びコンピュータプログラムコードは、プロセッサとで、装置が、複数の干渉セルにおける一形式の基準信号の送信を制御するように構成され、前記複数の干渉セルの各セルが、前記形式の基準信号のダウンリンク及びアップリンクの両送信に対して、前記複数の干渉セルの他のセルにおける前記形式の基準信号のダウンリンク又はアップリンクのいずれかの送信に使用することから除外される１つ以上の無線リソースを使用するようにさせる、装置。
【請求項３７】
第１セルにおいてある形式の基準信号のダウンリンク及びアップリンクの両送信に割り当てられる１つ以上の無線リソースを識別する情報を送信するように第１セルの無線装置を制御するための手段；及び前記１つ以上の無線リソースを使用して前記第１セルにおいて前記形式の基準信号を送信するように前記無線装置を制御するための手段；を備え、前記１つ以上の無線リソースは、１つ以上の他の干渉セルにおいて前記形式の基準信号の送信に使用することから除外されるようにした、装置。
【請求項３８】
第１セルにおけるある形式の基準信号のダウンリンク及びアップリンクの両送信に対する１つ以上の無線リソースであって且つ１つ以上の干渉セルにおける前記形式の基準信号の送信に使用することから除外される１つ以上の無線リソースを識別する情報を受信するように無線装置を制御するための手段；及び前記１つ以上の無線リソースを使用して前記形式の基準信号を送信するように前記無線装置を制御するための手段；を備えた装置。
【請求項３９】
第１セルにおいて１つ以上の送信を受信するように無線装置を制御するための手段であって、１つ以上の送信は、１つ以上の干渉セルにおける１つ以上の送信により干渉を受けるものである手段；及び前記１つ以上の他の干渉セルにおいて送信されるある形式の基準信号から導出される干渉チャンネル情報を考慮して、前記形式の基準信号のアップリンク及びダウンリンクの両送信に対する１つ以上の無線リソースの各セットを使用して、前記第１セルにおいて前記１つ以上の送信を復調するための手段；を備え、前記１つ以上の干渉セルのうちのセルに対する１つ以上の無線リソースの各セットは、前記第１セル、及び前記１つ以上の干渉セルのうちの他のセルにおいて前記形式の基準信号のダウンリンク又はアップリンクのいずれかの送信に使用することから除外されるようにした、装置。
【請求項４０】
複数の干渉セルにおける一形式の基準信号の送信を制御するための手段を備え、前記複数の干渉セルの各セルが、前記形式の基準信号のダウンリンク及びアップリンクの両送信に対して、前記複数の干渉セルの他のセルにおける前記形式の基準信号のダウンリンク又はアップリンクのいずれかの送信に使用することから除外される１つ以上の無線リソースを使用するようにした、装置。
【請求項４１】
コンピュータにロードされたときに、第１セルにおけるある形式の基準信号のダウンリンク及びアップリンクの両送信に割り当てられる１つ以上の無線リソースを識別する情報を送信するように第１セルの無線装置を制御し；及び前記１つ以上の無線リソースを使用して前記第１セルにおいて前記形式の基準信号を送信するように前記無線装置を制御する；ようにコンピュータを制御し、前記１つ以上の無線リソースは、１つ以上の他の干渉セルにおける前記形式の基準信号の送信に使用することから除外されるようにする、プログラムコード手段を備えたコンピュータプログラム製品。
【請求項４２】
コンピュータにロードされたときに、第１セルにおけるある形式の基準信号のダウンリンク及びアップリンクの両送信に対する１つ以上の無線リソースであって且つ１つ以上の干渉セルにおける前記形式の基準信号の送信に使用することから除外される１つ以上の無線リソースを識別する情報を受信するように無線装置を制御し；及び前記１つ以上の無線リソースを使用して前記形式の基準信号を送信するように前記無線装置を制御する；ようにコンピュータを制御する、プログラムコード手段を含むコンピュータプログラム製品。
【請求項４３】
コンピュータにロードされたときに、第１セルにおいて１つ以上の送信を受信するように無線装置を制御し、１つ以上の送信は、１つ以上の干渉セルにおける１つ以上の送信により干渉を受けるものであり；及び前記１つ以上の他の干渉セルにおいて送信されるある形式の基準信号から導出される干渉チャンネル情報を考慮して、前記形式の基準信号のアップリンク及びダウンリンクの両送信に対する１つ以上の無線リソースの各セットを使用して、前記第１セルにおいて前記１つ以上の送信を復調する；ようにコンピュータを制御し、前記１つ以上の干渉セルのうちのセルに対する１つ以上の無線リソースの各セットは、前記第１セル、及び前記１つ以上の干渉セルのうちの他のセルにおいて前記形式の基準信号のダウンリンク又はアップリンクのいずれかの送信に使用することから除外されるようにした、プログラムコード手段を備えたコンピュータプログラム製品。
【請求項４４】
コンピュータにロードされたときに、複数の干渉セルにおける一形式の基準信号の送信を制御し、前記複数の干渉セルの各セルが、前記形式の基準信号のダウンリンク及びアップリンクの両送信に対して、前記複数の干渉セルの他のセルにおける前記形式の基準信号のダウンリンク又はアップリンクのいずれかの送信に使用することから除外される１つ以上の無線リソースを使用するように、コンピュータを制御するプログラムコード手段を備えたコンピュータプログラム製品。
【発明の詳細な説明】
【技術分野】
【０００１】
セルラー通信システムは、少なくとも部分的に重畳するカバレージエリアをもつセルにおいて干渉（又は潜在的な干渉）無線リソースを使用できると共に、送信を復調するときに他のセルの干渉チャンネルを考慮する干渉打消し又は干渉軽減技術を使用することができる。
【背景技術】
【０００２】
そのような干渉打消し又は干渉軽減技術の使用を良好にサポートするという課題が明らかにされている。
【０００３】
干渉セルとは、干渉を引き起こすことのあるセル、例えば、少なくとも部分的に重畳する無線範囲を有する隣接セル、重畳する範囲をもたない隣接セル、遠く離れているが、例えば、反射等のために干渉を引き起こすことのある無線リソースを使用するセルである。
【発明の概要】
【０００４】
本発明のある態様によれば、第１セルにおけるある形式の基準信号のダウンリンク及びアップリンクの両送信に割り当てられる１つ以上の無線リソースを識別する情報を送信するように第１セルの無線装置を制御し；及び前記１つ以上の無線リソースを使用して前記第１セルにおいて前記形式の基準信号を送信するように前記無線装置を制御する；ことを含み、前記１つ以上の無線リソースは、１つ以上の他の干渉セルにおける前記形式の基準信号の送信に使用することから除外されるようにした、方法が提供される。
【０００５】
本発明の別の態様によれば、第１セルにおけるある形式の基準信号のダウンリンク及びアップリンクの両送信に対する１つ以上の無線リソースであって且つ１つ以上の干渉セルにおける前記形式の基準信号の送信に使用することから除外される１つ以上の無線リソースを識別する情報を受信するように無線装置を制御し；及び前記１つ以上の無線リソースを使用して前記形式の基準信号を送信するように前記無線装置を制御する；ことを含む方法が提供される。
【０００６】
本発明の別の態様によれば、プロセッサ、及びコンピュータプログラムコードを含むメモリを備えた装置において、そのメモリ及びコンピュータプログラムコードは、プロセッサとで、装置が、第１セルにおけるある形式の基準信号のダウンリンク及びアップリンクの両送信に割り当てられる１つ以上の無線リソースを識別する情報を送信するように第１セルの無線装置を制御し；及び前記１つ以上の無線リソースを使用して前記第１セルにおいて前記形式の基準信号を送信するように前記無線装置を制御する；ように構成され、前記１つ以上の無線リソースは、１つ以上の他の干渉セルにおける前記形式の基準信号の送信に使用することから除外されるようにした、装置が提供される。
【０００７】
本発明の別の態様によれば、プロセッサ、及びコンピュータプログラムコードを含むメモリを備えた装置において、そのメモリ及びコンピュータプログラムコードは、プロセッサとで、装置が、第１セルにおけるある形式の基準信号のダウンリンク及びアップリンクの両送信に対する１つ以上の無線リソースであって且つ１つ以上の干渉セルにおける前記形式の基準信号の送信に使用することから除外される１つ以上の無線リソースを識別する情報を受信するように無線装置を制御し；及び前記１つ以上の無線リソースを使用して前記形式の基準信号を送信するように前記無線装置を制御する；ように構成された装置が提供される。
【０００８】
本発明の別の態様によれば、第１セルにおけるある形式の基準信号のダウンリンク及びアップリンクの両送信に割り当てられる１つ以上の無線リソースを識別する情報を送信するように第１セルの無線装置を制御するための手段；及び前記１つ以上の無線リソースを使用して前記第１セルにおいて前記形式の基準信号を送信するように前記無線装置を制御するための手段；を備え、前記１つ以上の無線リソースは、１つ以上の他の干渉セルにおける前記形式の基準信号の送信に使用することから除外される、装置が提供される。
【０００９】
本発明の別の態様によれば、第１セルにおけるある形式の基準信号のダウンリンク及びアップリンクの両送信に対する１つ以上の無線リソースであって且つ１つ以上の干渉セルにおける前記形式の基準信号の送信に使用することから除外される１つ以上の無線リソースを識別する情報を受信するように無線装置を制御するための手段；及び前記１つ以上の無線リソースを使用して前記形式の基準信号を送信するように前記無線装置を制御するための手段；を備えた装置が提供される。
【００１０】
本発明の別の態様によれば、コンピュータにロードされたときに、第１セルにおけるある形式の基準信号のダウンリンク及びアップリンクの両送信に割り当てられる１つ以上の無線リソースを識別する情報を送信するように第１セルの無線装置を制御し；及び前記１つ以上の無線リソースを使用して前記第１セルにおいて前記形式の基準信号を送信するように前記無線装置を制御する；ようにコンピュータを制御し、前記１つ以上の無線リソースは、１つ以上の他の干渉セルにおける前記形式の基準信号の送信に使用することから除外されるようにする、プログラムコード手段を備えたコンピュータプログラム製品が提供される。
【００１１】
本発明の別の態様によれば、コンピュータにロードされたときに、第１セルにおけるある形式の基準信号のダウンリンク及びアップリンクの両送信に対する１つ以上の無線リソースであって且つ１つ以上の干渉セルにおける前記形式の基準信号の送信に使用することから除外される１つ以上の無線リソースを識別する情報を受信するように無線装置を制御し；及び前記１つ以上の無線リソースを使用して前記形式の基準信号を送信するように前記無線装置を制御する；ようにコンピュータを制御する、プログラムコード手段を備えたコンピュータプログラム製品が提供される。
【００１２】
１つの実施形態によれば、前記１つ以上の無線リソースは、セルにおける空間的に多重化された送信のために無線装置により送信されるアンテナごとに各無線リソースを含む。
【００１３】
１つの実施形態によれば、前記第１セルにおける前記形式の基準信号のアップリンク及びダウンリンクの両送信に割り当てられる前記１つ以上の無線リソースの数は、前記第１セルにおける空間的に多重化された送信のための最大送信ランク以上である。
【００１４】
１つの実施形態によれば、前記１つ以上の無線リソースは、少なくとも、第１周波数領域で前記第１セルにおいて送信するために予約される１つ以上の無線リソースの第１セット、及びそれとは異なる第２周波数領域で前記第１セルにおいて送信するために予約される１つ以上の無線リソースの第２セットを含む。
【００１５】
１つの実施形態によれば、前記第１周波数領域は、前記第２周波数領域を経ての送信より送信ランクの高い送信に使用される。
【００１６】
１つの実施形態によれば、前記基準信号の形式は、復調基準信号、チャンネル状態情報基準信号、及びサウンディング基準信号、の少なくとも１つである。
【００１７】
１つの実施形態によれば、第１セルにおいてダウンリンク及びアップリンクの両送信に使用される１つ以上の無線リソースは、前記１つ以上の他の干渉セルにおいて前記形式の基準信号の送信に使用される１つ以上の無線リソースに対して少なくとも実質的に直交する。
【００１８】
１つの実施形態によれば、前記第１セル及び前記１つ以上の他の干渉セルは、セルのグループを含み、そして前記１つ以上の無線リソースは、前記セルのグループ内の他のセルにおける前記形式の基準信号の送信に使用することから除外される。
【００１９】
１つの実施形態によれば、前記１つ以上の無線リソースは、サブキャリアのセットを含み、そして前記セルのグループの各他のセルにおける前記形式の基準信号の送信は、前記第１セルと同じ時間リソース及びサブキャリアの異なるセットを使用して行われる。
【００２０】
１つの実施形態によれば、前記１つ以上の無線リソースは、一定振幅ゼロ自己相関シーケンスの１つ以上の繰り返しシフトバージョンのセットを含み、そして前記セルのグループの各他のセルにおける前記形式の基準信号の送信は、前記第１セルと同じ周波数−時間リソース及び同じ一定振幅ゼロ自己相関シーケンスの１つ以上の繰り返しシフトバージョンの各異なるセットを使用して行われる。
【００２１】
１つの実施形態によれば、一定振幅ゼロ自己相関シーケンスの１つ以上の繰り返しシフトバージョンの前記第１セットは、前記第１セルにおいて前記第１形式の基準信号を送信するために他の無線装置により共通に使用される。
【００２２】
１つの実施形態によれば、前記周波数−時間リソースは、物理的リソースブロックの既定部分を含む。
【００２３】
１つの実施形態によれば、前記第１セルにおける空間的に多重化された送信のための最大送信ランクは、前記セルのグループの少なくとも１つの他のセルにおける最大送信ランクとは異なる。
【００２４】
１つの実施形態によれば、前記第１セルは、前記第１周波数領域に対する干渉セルの第１グループの一部分であり、前記第１セルは、前記第２周波数領域に対する干渉セルの第２グループの一部分であり、前記第１セットの１つ以上の無線リソースは、前記第１グループのセル内の他のセルにおける前記第１周波数領域で前記形式の基準信号を送信するのに使用することから除外され、そして前記第２セットの１つ以上の無線リソースは、前記第２グループのセル内の他のセルにおける前記第２周波数領域で前記形式の基準信号を送信するのに使用することから除外される。
【００２５】
又、第１セルにおいて１つ以上の送信を受信するように無線装置を制御し、１つ以上の送信は、１つ以上の干渉セルにおける１つ以上の送信によって干渉を受けるものであり；及び前記１つ以上の他の干渉セルにおいて送信されるある形式の基準信号から導出される干渉チャンネル情報（又は無線経路で干渉を受けた信号から導出されるチャンネル情報）を考慮して、前記形式の基準信号のアップリンク及びダウンリンクの両送信に対する１つ以上の無線リソースの各セットを使用して、前記第１セルにおいて前記１つ以上の送信を復調する；ことを含み、前記１つ以上の干渉セルのうちのセルに対する１つ以上の無線リソースの各セットは、前記第１セル、及び前記１つ以上の干渉セルのうちの他のセルにおいて前記形式の基準信号のダウンリンク又はアップリンクのいずれかの送信に使用することから除外されるようにした、方法が提供される。
【００２６】
１つの実施形態によれば、前記方法は、受信強度が所定のスレッシュホールドを越える基準信号から導出される干渉チャンネル情報のみを選択的に考慮することを更に含む。
【００２７】
本発明の別の態様によれば、複数の干渉セルにおける一形式の基準信号の送信を制御することを含み、前記複数の干渉セルの各セルが、前記形式の基準信号のダウンリンク及びアップリンクの両送信に対して、前記複数の干渉セルの他のセルにおける前記形式の基準信号のダウンリンク又はアップリンクのいずれかの送信に使用することから除外される１つ以上の無線リソースを使用するようにする、方法が提供される。
【００２８】
本発明の別の態様によれば、プロセッサ、及びコンピュータプログラムコードを含むメモリを備えた装置において、そのメモリ及びコンピュータプログラムコードは、プロセッサとで、装置が、第１セルにおいて１つ以上の送信を受信するように無線装置を制御し、１つ以上の送信は、１つ以上の干渉セルにおける１つ以上の送信により干渉を受けるものであり；及び前記１つ以上の他の干渉セルにおいて送信されるある形式の基準信号から導出される干渉チャンネル情報を考慮して、前記形式の基準信号のアップリンク及びダウンリンクの両送信に対する１つ以上の無線リソースの各セットを使用して、前記第１セルにおいて前記１つ以上の送信を復調する；ようにさせるよう構成され、前記１つ以上の干渉セルのうちのセルに対する１つ以上の無線リソースの各セットは、前記第１セル、及び前記１つ以上の干渉セルのうちの他のセルにおいて前記形式の基準信号のダウンリンク又はアップリンクのいずれかの送信に使用することから除外されるようにした、装置が提供される。
【００２９】
１つの実施形態によれば、メモリ及びコンピュータプログラムコードは、プロセッサとで、装置が、受信強度が所定のスレッシュホールドを越える基準信号から導出される干渉チャンネル情報のみを選択的に考慮するように構成される。
【００３０】
本発明の別の態様によれば、プロセッサ、及びコンピュータプログラムコードを含むメモリを備えた装置において、そのメモリ及びコンピュータプログラムコードは、プロセッサとで、装置が、複数の干渉セルにおける一形式の基準信号の送信を制御するように構成され、前記複数の干渉セルの各セルが、前記形式の基準信号のダウンリンク及びアップリンクの両送信に対して、前記複数の干渉セルの他のセルにおける前記形式の基準信号のダウンリンク又はアップリンクのいずれかの送信に使用することから除外される１つ以上の無線リソースを使用するようにさせる、装置が提供される。
【００３１】
本発明の別の態様によれば、第１セルにおいて１つ以上の送信を受信するように無線装置を制御するための手段であって、１つ以上の送信は、１つ以上の干渉セルにおける１つ以上の送信により干渉を受けるものである手段；及び前記１つ以上の他の干渉セルにおいて送信されるある形式の基準信号から導出される干渉チャンネル情報を考慮して、前記形式の基準信号のアップリンク及びダウンリンクの両送信に対する１つ以上の無線リソースの各セットを使用して、前記第１セルにおいて前記１つ以上の送信を復調するための手段；を備え、前記１つ以上の干渉セルのうちのセルに対する１つ以上の無線リソースの各セットは、前記第１セル、及び前記１つ以上の干渉セルのうちの他のセルにおいて前記形式の基準信号のダウンリンク又はアップリンクのいずれかの送信に使用することから除外されるようにした、装置が提供される。
【００３２】
本発明の別の態様によれば、複数の干渉セルにおける一形式の基準信号の送信を制御するための手段を備え、前記複数の干渉セルの各セルが、前記形式の基準信号のダウンリンク及びアップリンクの両送信に対して、前記複数の干渉セルの他のセルにおける前記形式の基準信号のダウンリンク又はアップリンクのいずれかの送信に使用することから除外される１つ以上の無線リソースを使用するようにさせる、装置が提供される。
【００３３】
本発明の別の態様によれば、コンピュータにロードされたときに、第１セルにおいて１つ以上の送信を受信するように無線装置を制御し、１つ以上の送信は、１つ以上の干渉セルにおける１つ以上の送信により干渉を受けるものであり；及び前記１つ以上の他の干渉セルにおいて送信されるある形式の基準信号から導出される干渉チャンネル情報を考慮して、前記形式の基準信号のアップリンク及びダウンリンクの両送信に対する１つ以上の無線リソースの各セットを使用して、前記第１セルにおいて前記１つ以上の送信を復調する；ようにコンピュータを制御するプログラムコード手段を備え、前記１つ以上の干渉セルのうちのセルに対する１つ以上の無線リソースの各セットは、前記第１セル、及び前記１つ以上の干渉セルのうちの他のセルにおいて前記形式の基準信号のダウンリンク又はアップリンクのいずれかの送信に使用することから除外されるようにした、コンピュータプログラム製品が提供される。
【００３４】
本発明の別の態様によれば、コンピュータにロードされたときに、複数の干渉セルにおける一形式の基準信号の送信を制御するようにコンピュータを制御するプログラムコード手段を備え、前記複数の干渉セルの各セルが、前記形式の基準信号のダウンリンク及びアップリンクの両送信に対して、前記複数の干渉セルの他のセルにおける前記形式の基準信号のダウンリンク又はアップリンクのいずれかの送信に使用することから除外される１つ以上の無線リソースを使用するようにした、コンピュータプログラム製品が提供される。
【００３５】
以下、添付図面を参照して、本発明の幾つかの実施形態を一例として詳細に説明する。
【図面の簡単な説明】
【００３６】
【図１】本発明の実施形態を具現化できる無線アクセスネットワークの一例を示す。
【図２】図１のＵＥのための装置の一例を示す。
【図３Ａ】図１のアクセスノードに使用するための装置の一例を示す。
【図３Ｂ】図１のアクセスノードに使用するための装置の一例を示す。
【図４】本発明の一実施形態による技術を示す。
【図５】本発明の一実施形態による技術を示す。
【図６】本発明の実施形態に使用される基準信号、及び受信ノードでの基準信号の処理の一例を示す。
【図７】第１セルのアクセスポイント、及び該第１セルのアクセスポイントにより送信される基準信号を受信する第２干渉セルのＵＥ又はＡＰにおける本発明の実施形態による動作の一例を示す。
【図８】第１セルのＵＥ、及び該第１セルのＵＥにより送信される基準信号を受信する第２干渉セルのＵＥ又はＡＰにおける本発明の実施形態による動作の一例を示す。
【発明を実施するための形態】
【００３７】
本発明の実施形態は、進化型ＵＴＲＡＮ（ＥＵＴＲＡＮ）の例について以下に詳細に述べるが、その同じ技術を、他の種類の無線アクセスネットワーク、例えば、ビヨンド第４世代（Ｂ４Ｇ）又は５Ｇにも適用することができる。
【００３８】
図１は、本発明の実施形態を具現化できるセルラー通信システムの一例のアーキテクチャーの一部分を示す。この規範的なセルラー通信システムは、少なくとも１つのセルにおいて各々動作する複数のアクセスノード２を備えている。
【００３９】
この例において、アクセスノード２ａ、２ｂは、ＥＵＴＲＡＮのベースステーション（ｅＮｏｄｅＢ）で、典型的に、数千のそのようなベースステーション、ノード、サーバー又はホストより成り、各々、１つ以上のセルを動作する。各セルのカバレージエリアは、典型的に、セルを動作するアンテナ又はアンテナセットの送信電力、キャリア周波数及び指向性に依存する。或いは又、アクセスノードは、リモート無線ヘッド及びサーバー又はホストのようなネットワークエンティティの組み合わせでもよい。
【００４０】
セルラー通信システムは、異なるカバレージエリアのセルを動作する異なる種類のアクセスノードを備えている。例えば、セルラー通信システムは、比較的広いカバレージエリアを有するセルを動作するマクロアクセスノード２ａと、比較的狭いカバレージエリアを有するセルを動作するローカルエリアアクセスノード２ｂとを備えている。
【００４１】
ｅＮＢ２は、全て、進化型パケットコア（ＥＰＣ）に接続される。
【００４２】
図１には少数のＵＥ６しか示されていないが、ＥＵＴＲＡＮは、典型的に、非常に多数のＵＥ６にサービスする。ユーザ装置（ＵＥ）の幾つかの例は、移動電話、スマートホン、ポータブルメディアプレーヤ、タブレット、他のポータブルコンピュータ装置、等を含む。
【００４３】
図２は、ワイヤレスインターフェイスを経て図１のｅＮＢ２と通信するのに使用されるユーザ装置又はユーザデバイス（ＵＥ）６の一例の概略図である。ＵＥ６は、少なくとも図１のｅＮＢ２へ無線信号を送信し又はそこから無線信号を受信することのできる任意の装置であり、そして更に、装置対装置（Ｄ２Ｄ）通信で別のＵＥへ信号を送信し及びそこから信号を受信することもできる。Ｄ２Ｄ通信は、セルラーネットワークの基礎、例えば、長期進化（ＬＴＥ）又は長期進化アドバンストとして実施される。更に、ビヨンド第４世代（Ｂ４Ｇ）又は５Ｇシステムも、Ｄ２Ｄ通信をサポートする。
【００４４】
ＵＥ６は、例えば、ユーザ間での電話コールの発信及び受信や、ユーザへのマルチメディアのストリーミング又は他のデジタルコンテンツの提供のような、人間の相互作用に関するタスクに対して設計された装置である。その非限定例は、スマートホン、及びワイヤレスインターフェイスファシリティが設けられたラップトップコンピュータ／ノードブックコンピュータ／タブレットコンピュータ／ｅ−リーダー装置を含む。
【００４５】
ＵＥ６は、無線トランシーバ回路、ユニット又はモジュール２０６と、少なくとも１つのアンテナ又はアンテナユニットを含むその関連アンテナ構成体２０５とを経て通信を行う。アンテナ構成体２０５は、ＵＥ２の内部に配置されてもよいし又はその外部に配置されてもよい。
【００４６】
ＵＥ６には、１つ以上の（基本帯域）プロセッサ２０３を含む基本帯域ユニット；及び少なくとも１つのメモリ又はデータストレージエンティティ２１７が設けられる。プロセッサ２０３及び１つ以上のメモリエンティティ２１７は、適当な回路板上及び／又はチップ内に設けられる。メモリ又はデータストレージエンティティ２１７は、典型的に内部であるが、サービスプロバイダーから追加メモリ容量が得られる場合には外部でもよいし、又はその組み合わせでもよい。
【００４７】
人間の相互作用に対して設計された装置の場合には、ユーザは、キーパッド２０１、ボイスコマンド、タッチ感知スクリーン又はパッド、その組み合わせ、等の適当なユーザインターフェイスにより、ＵＥ６の動作を制御する。ディスプレイ２１５、スピーカ及びマイクロホンも設けられる。更に、ＵＥ６は、他の装置への、及び／又は外部アクセサリ、例えば、ハンズフリー装置を接続するための適当なコネクタ（ワイヤード又はワイヤレス）を含む。
【００４８】
図３ａは、図１のｅＮＢ２に使用するための装置の一例を示す。この装置は、高周波信号を受信及び送信するように構成された高周波アンテナアレイ３０１（少なくとも１つのアンテナ又はアンテナユニットより成る）；このアンテナアレイ３０１により受信及び送信される高周波信号をインターフェイスするように構成された無線トランシーバ回路、モジュール又はユニット３０３；及び１つ以上の（基本帯域）プロセッサ３０６を含む基本帯域ユニットを備え、又はそれらに結合される。この装置は、通常、インターフェイス３０９を備え、これを経て、例えば、プロセッサ３０６は、コアネットワーク（図示せず）のような他のネットワーク要素と通信することができる。プロセッサ３０６は、無線トランシーバ３０３からの信号を処理するように構成される。又、プロセッサ３０６は、無線トランシーバ３０３を制御して、適当なＲＦ信号を発生し、ワイヤレス通信リンクを経てＵＥ６、装置４ａ又は他のｅＮＢ２へ情報を通信すると共に、インターフェイス３０９を経てワイヤードリンクを横切って他のネットワークノード８及び／又は他のｅＮＢ２とで情報を交換することもできる。基本帯域プロセッサ３０６が使用するためのデータ、パラメータ及び／又はインストラクションを記憶するために１つ以上のメモリ又はデータストレージユニット３０７が使用される。メモリ又はデータストレージエンティティは、内部でもよいし、外部でもよいし（別のネットワークエンティティに位置する）、又はその組み合わせでもよい。
【００４９】
図３ｂは、図１のｅＮＢ２に使用するための装置の別の例を示す。この装置は、図３ａと同じであるが、（基本帯域）プロセッサ３０６を含む基本帯域ユニットは、無線トランシーバ３０３及びアンテナアレイ３０１から離れたところに位置され、そして例えば、光ファイバーリンク３１１により無線トランシーバ３０３に接続される。
【００５０】
メモリ２０７、３０７は、適当なデータストレージ技術、例えば、半導体ベースのメモリ装置、フラッシュメモリ、磁気メモリ装置及びシステム、光学的メモリ装置及びシステム、固定メモリ及び取り外し可能なメモリを使用して実施される。データプロセッサ２０３、３０６は、例えば、マイクロプロセッサ、デジタル信号プロセッサ（ＤＳＰ）、及びマルチコアプロセッサアーキテクチャーに基づくプロセッサの１つ以上を含む。又、メモリは、外部にあってもよいし、又は装置が内部メモリ及び外部メモリの両方を使用してもよい。
【００５１】
ＵＥ６の他の要素の動作を制御するプロセッサ２０３、３０６について以下に説明し、ｅＮＢ２ｂは、メモリ２０７、３０７に記憶されたプログラムコードに基づいて動作するプロセッサを指す。
【００５２】
図２及び３に示して上述した装置は、以下に述べる本発明の実施形態に直接関与しない更に別の要素を備えていることが明らかである。
【００５３】
通信システム及びその装置は、必要な機能を発揮する非専用のプログラム可能なハードウェアに（益々）基づくインフラストラクチャーに向かって統合されることが明らかであろう。ネットワーク要素は、バーチャル化技術に基づきプログラム可能なリソースを収集するコンピューティング等価装置である。
【００５４】
本発明の実施形態は、（ｉ）あるセルにおけるダウンリンク／アップリンクＡＰ−ＵＥ送信と、（ii）別のセルにおけるダウンリンク／アップリンクＡＰ−ＵＥ送信との間のセル間干渉の打消し／軽減を容易にする例について説明し、そのような干渉は、２つのセルの相対的位置（例えば、２つのセルによりサービスされる地理的エリアの重畳）、及び２つのセル間の無線リソースの共有から生じるものである。しかしながら、同じ種類の技術を、他の種類の送信間のセル間干渉、例えば、あるセルにおける２つのＵＥ間又は２つのアクセスポイント間の送信（Ｄ２Ｄ送信又はＡＰ２ＡＰ送信）、並びに（ｂ）あるセルのＤ２Ｄ又はＡＰ２ＡＰ送信、及び１つ以上の他のセルにおけるＡＰ−ＵＥ送信の間のセル間干渉に適用することもでき、そしてその逆のことも言える。１つ以上のＵＥについてのＡＰによる送信は、ダウンリンク送信と考えることができ；１つ以上のＡＰについてのＵＥによる送信は、アップリンク送信と考えることができ；そして１つ以上の他のＡＰについてのＡＰによる送信（ＡＰ２ＡＰ送信）又は１つ以上の他のＵＥについてのＵＥによる送信（Ｄ２Ｄ送信）は、ダウンリンク送信又はアップリンク送信のいずれかと考えることができる。
【００５５】
図４及び５を参照すれば、あるｅＮＢ２ｂ（ＡＰ  Ａ）により動作される第１セルＡにおけるあるダウンリンク及びアップリンク送信は、別のｅＮＢ２ｂ（ＡＰ  Ｂ）により動作される重畳セルＢにおけるダウンリンク及びアップリンク送信を妨げる無線リソースを使用して行われる。例えば、２つのセルＡ及びＢにおけるある送信は、同じ時間−周波数リソースを経て異なる送信を区別するための他の種類のマルチプレクシング（例えば、コード分割マルチプレクシング）を伴わずに同じ時間−周波数リソースを共有する。干渉打消し又は干渉軽減技術は、典型的に、１つ以上の他のセルにおける送信からそのような干渉を受ける送信を復調するときに各セルにおける受信ノードに使用される。それらの干渉打消し／軽減技術は、受信装置と、１つ以上の他のセルにおいて干渉送信をなす１つ以上の送信装置との間のチャンネルに関する各チャンネル情報を使用する。セルＡにおける送信のタイミングは、送信が同じ方向であるか否かに関わらず、セルＢにおける送信のタイミングと整列される。換言すれば、１つの時間リソースを経てのセルＡにおけるある方向（アップリンク又はダウンリンク）の送信は、送信が同じ方向であるか否かに関わらず、同じ１つの時間リソースを経てのセルＢにおける送信と整列される。セルＡ及びＢにおける送信のタイミング間に整列があるだけでなく、セルＡ及びＢは、両方とも、セルＡ及びＢにおける全ての送信に対して整列された物理的リソースブロック（ＰＲＢ）を使用する。ＯＦＤＭ送信の例として、物理的リソースブロックが所定数のサブキャリアにより定義され、そして時間リソースのセットが所定数のＯＦＤＭＡ記号により定義される。データ信号と、復調器順信号（ＤＭＲＳ）を含む基準信号は、両方とも、マルチプレクス技術により単一のＰＲＢにおいて一緒に送信される。ＯＦＤＭの例として、あるセルにおいてＰＲＢを経て送信されるＤＭＲＳは、ＰＲＢ内の異なるサブキャリア及び／又はＰＲＢ内の異なるＯＦＤＭ記号を使用することにより同じＰＲＢを経て同じセルに送信されるデータ信号から区別される。図４及び５の例において、両セルＡ及びＢに対するＤＭＲＳは、ＰＲＢの同じ規定部分において送信される。
【００５６】
ハーフ・デュープレックスＴＤＤ（即ち、同時に送信及び受信することができない無線ノード／装置を含む）により動作するセルの例では、これらのセルを動作するｅＮＢ２ｂのプロセッサ３０６は、各セルの個々のニーズに基づいて、ＰＲＢにおいて受信すべきか又は送信すべきか（即ち、ＰＲＢをセルにおいてアップリンク又はダウンリンクのいずれの送信に使用すべきか）独自に決定することができる。図４は、ＡＰ  Ａ、及びセルＢによりサービスされるＵＥによる同じＰＲＢにおける送信の例を示す。図５は、ＡＰ  Ｂ、及びセルＡによりサービスされるＵＥによる同じＰＲＢにおける送信の例を示す。
【００５７】
セルＡ及びＢにおいてなされる少なくとも幾つかの他の形式の送信とは対照的に、同じＰＲＢでの両セルＡ及びＢにおけるＤＭＲＳの送信は、例えば、コード分割マルチプレクシングの使用により互いに区別される。コード分割マルチプレクシングの一例によれば、ＰＲＢでのセルＡにおけるＤＭＲＳの送信は、そのＤＭＲＳ送信がＵＥによるものかＡＰによるものかに関わらず（即ち、ＤＭＲＳがダウンリンクＰＲＢの一部分であるかアップリンクＰＲＢの一部分であるかに関わらず）一定振幅ゼロ自己相関（ＣＡＺＡＣ）シーケンスの１つ以上の繰り返しシフトバージョンを使用し、そしてセルＢにおける同じＰＲＢでのＤＭＲＳの送信は、そのＤＭＲＳ送信がＵＥによるものかＡＰによるものかに関わらず（即ち、ＤＭＲＳがダウンリンクＰＲＢの一部分であるかアップリンクＰＲＢの一部分であるかに関わらず）同じＣＡＺＡＣシーケンスの１つ以上の異なる繰り返しシフトバージョンを使用する。同じ時間−周波数リソースを経ての同じＣＡＺＡＣシーケンスの異なる繰り返しシフトバージョンの送信間に受信ノードでは、各送信ノードと受信ノードとの間のチャンネルの電力遅延分散より繰り返し時間シフト値を長くすることで、充分な直交性を得ることができる。完全な直交性を得るのは困難であるが、この実施形態の干渉軽減技術では完全な直交性は要求されない。
【００５８】
セルのアクセスポイントは、そのセルにおけるＤＭＲＳのＤＬ及びＵＬの両送信に使用される同じＣＡＺＡＣシーケンスの１つ以上の繰り返しシフトバージョンの各セットを識別するシステム情報を送信し（図７のステップ７００）、そしてそのセルによりサービスされるＵＥは、それらの送信を受信し（図８のステップ８００）、その情報を使用して、そのセルにおいてＤＭＲＳ送信を行う。
【００５９】
図４は、セルＡによりサービスされるＵＥ（ＵＥ  Ａ２）であって、少なくともセルＢによりサービスされるＵＥによる送信からの干渉を受ける（又は潜在的に干渉を受ける）ＡＰ  Ａからの送信を受信するＵＥ（ＵＥ  Ａ２）の一例を示す。物理的リソースブロックの少なくとも１つ以上は、ＡＰ  Ａ、及びセルＢによりサービスされるＵＥにより共有される。図４は、４つのＰＲＢがＡＰ  Ａ及びＵＥ  Ｂ１により共有され、且つ２つのＰＲＢがＡＰ  Ａ及びＵＥ  Ｂ２により共有され、そして各ＰＲＢの同じ既定部分がＤＭＲＳ送信のためにセルＡ及びＢの各々に使用される実施例を示す。セルＡにおける全てのダウンリンク及びアップリンクＤＭＲＳ送信がＣＡＺＡＣシーケンスの１つ以上の繰り返しシフトバージョンを使用し、そしてセルＢにおける全てのアップリンク及びダウンリンクＤＭＲＳ送信が同じＣＡＺＡＣシーケンスの１つ以上の異なる繰り返しシフトバージョンを使用するので、同じＰＲＢの同じ規定部分においてセルＡのＤＭＲＳ送信とセルＢのＤＭＲＳ送信との間に（著しい）干渉はなく、そしていずれの受信ノード（例えば、ＵＥＡ２）も、図４の下部に示したように、同じＰＲＢを経て、ＵＥ  Ａ２と、例えば、ＡＰ  Ａとの間の無線チャンネル、及びＵＥ  Ａ２と、例えば、ＵＥ  Ｂ１との間の無線チャンネルの両方のチャンネル情報を得ることができる。
【００６０】
図７の実施例も参照すれば、ＡＰ  Ａ及びＵＥ  Ｂ１のプロセッサ２０３、３０６は、各セルに割り当てられたＣＡＺＡＣシーケンスの１つ以上の繰り返しシフトバージョンの各セットを使用してＰＲＢの同じ既定部分においてＤＭＲＳ送信を行うようにＵＥ  Ｂ１及びＡＰ  Ａのトランシーバ３０３、２０６を制御する（図７のステップ７０２及び図８のステップ８０２）。ＵＥ  Ａ２のプロセッサ２０３は、前記ＰＲＢの前記既定部分において送信を受信するようにトランシーバを制御する（図７のステップ７０４及び図８のステップ８０４）。ＵＥ  Ａ２の（基本帯域）プロセッサは、前記ＰＲＢの前記既定部分において受信されたＤＭＲＳ送信を、ＡＰ  Ａ及びＵＥ  Ｂ１によりなされるＤＭＲＳ送信へと分析する（図７のステップ７０６及び図８のステップ８０６）。ＵＥ  Ａ２のプロセッサ２０３は、その分析されたＤＭＲＳ送信から、ＡＰ  ＡとＵＥ  Ａ２との間のチャンネル及びＵＥ  Ｂ１とＵＥ  Ａ２との間のチャンネルに対するチャンネル情報を得（図７のステップ７０８及び図８のステップ８０８）、そして例えば、ＡＰ  Ａによるデータ送信を復調するときにこのチャンネル情報を使用して、ＵＥ  Ｂ１による送信からの干渉を打ち消し又は軽減する（図７のステップ７１０及び図８のステップ８１０）。
【００６１】
図５は、セルＡによりサービスされるＵＥ  Ａ１及びＵＥ  Ａ２からの送信を受信するＡＰ  Ａの実施例を示すもので、それらの送信は、少なくともＡＰ  Ｂによる送信により干渉を受ける（又は潜在的に干渉を受ける）。物理的リソースブロックの少なくとも１つ以上は、ＡＰ  Ｂ、及びセルＡによってサービスされるＵＥにより共有される。図５は、２つのＰＲＢがＵＥ  Ａ１及びＡＰ  Ｂにより共有され、且つ４つのＰＲＢがＵＥ  Ａ２及びＡＰ  Ｂにより共有され、そして各ＰＲＢの同じ既定部分がＤＭＲＳ送信のためにセルＡ及びＢの各々に使用される実施例を示す。セルＡにおける全てのダウンリンク及びアップリンクＤＭＲＳ送信がＣＡＺＡＣシーケンスの１つ以上の繰り返しシフトバージョンを使用し、そしてセルＢにおける全てのアップリンク及びダウンリンクＤＭＲＳ送信が同じＣＡＺＡＣシーケンスの１つ以上の異なる繰り返しシフトバージョンを使用するので、同じＰＲＢの同じ規定部分においてセルＡのＤＭＲＳ送信とセルＢのＤＭＲＳ送信との間に干渉はなく、そしていずれの受信ノード（例えば、ＡＰ  Ａ）も、図５の下部に示したように、同じＰＲＢを経て、ＡＰ  Ａと、例えば、ＵＥ  Ａ２との間の無線チャンネル、及びＡＰ  Ａと、例えば、ＡＰ  Ｂとの間の無線チャンネルの両方のチャンネル情報を得ることができる。
【００６２】
図７の実施例も参照すれば、ＡＰ  Ｂ及びＵＥ  Ａ１のプロセッサ２０３、３０６は、各セルに割り当てられたＣＡＺＡＣシーケンスの１つ以上の繰り返しシフトバージョンの各セットを使用してＰＲＢの同じ既定部分においてＤＭＲＳ送信を行うようにＡＰ  Ｂ及びＵＥ  Ａ１のトランシーバ３０３、２０６を制御する（図７のステップ７０２及び図８のステップ８０２）。ＡＰ  Ａのプロセッサ３０６は、前記ＰＲＢの前記既定部分において送信を受信するようにＡＰ  Ａのトランシーバ３０３を制御する（図７のステップ７０４及び図８のステップ８０４）。ＡＰ  Ａのプロセッサ３０６は、前記ＰＲＢの前記既定部分において受信されたＤＭＲＳ送信を、ＡＰ  Ｂ及びＵＥ  Ａ１によりなされるＤＭＲＳ送信へと分析する（図７のステップ７０６及び図８のステップ８０６）。ＡＰ  Ａのプロセッサ３０６は、その分析されたＤＭＲＳ送信から、ＡＰ  ＡとＵＥ  Ａ１との間のチャンネル及びＡＰ  ＡとＡＰ  Ｂとの間のチャンネルに対するチャンネル情報を得（図７のステップ７０８及び図８のステップ８０８）、そして例えば、ＵＥ  Ａ１によるデータ送信を復調するときにこのチャンネル情報を使用して、ＡＰ  Ｂによる送信からの干渉を打ち消し又は軽減する（図７のステップ７１０及び図８のステップ８１０）。
【００６３】
図４及び５は、異なるセルのＤＭＲＳ信号間に充分な直交性を得て、セル間の交差チャンネル干渉（即ち、あるセルにおけるアップリンク送信と別のセルにおけるダウンリンク送信との間の干渉）の打ち消し／軽減をサポートする技術の一例を示すが、その同じ種類の技術は、セル間の共通チャンネル干渉（即ち、両方のセルのアップリンク送信間の干渉又は両方のセルのダウンリンク送信間の干渉）の打消しもサポートすることができる。
【００６４】
又、図４及び５は、他のセルでの送信からの干渉の打消し／軽減をサポートする技術の一例も示す。しかしながら、この技術も、複数の他のセルでの送信からの干渉の打ち消し／軽減のサポートに適用することができる。セルは、セルにサービスするｅＮＢが比較的接近しているために、例えば、データ送信が互いに比較的高度な干渉を示すグループへと集められる。グループの各セルには、その同じグループの他のセルにおけるＤＭＲＳ送信に使用することから除外されるＤＭＲＳ送信のための無線リソースが割り当てられる。ＣＡＺＡＣシーケンスの異なる繰り返しシフトバージョンを使用して、異なるセルにおけるＤＭＲＳ送信を区別する前記例では、グループ内の各セルに、同じＣＡＺＡＣシーケンスの１つ以上の繰り返しシフトバージョンの各セットが割り当てられる。セルの隣接グループは、異なるＣＡＺＡＣシーケンスシーケンスを使用する。異なるグループのＤＲＭＳ送信間の直交性は、等しく高いレベルにならないが、隣接グループに対するＣＡＺＡＣシーケンスの選択は、典型的に、セルのあるグループにおけるＤＭＲＳ送信と、セルの別のグループにおけるＤＭＲＳ送信との間のクロス相関を最小にすることを目的とする。
【００６５】
グループの各セルには、そのグループに対するＣＡＺＡＣシーケンスの２つ以上の繰り返しシフトバージョンが割り当てられる。例えば、セルには、ＣＡＺＡＣシーケンスのＮ個の繰り返しシフトバージョンが割り当てられ、Ｎは、セルの最大送信ランクである（即ち、Ｎは、セルにおける空間的に多重化される送信に使用できる空間的ストリームの最大数、又はセルを動作するアクセスポイントにおける受信アンテナの数である）。例えば、セルが、その容量で、ＵＥ６へ／から４×４のＭＩＭＯ（多入力多出力）送信をサポートするように構成される場合には、ＣＡＺＡＣシーケンスの少なくとも４つの異なる繰り返しシフトバージョンがセルに割り当てられる。最大送信ランクは、グループ内のセル間で変化し、例えば、セルを動作するアクセスポイントの形式により、セルごとに別々に定義される。セルの無線装置により使用される実際の送信ランクは、最大送信ランクより低い。そのような場合には、セルにおいてＤＭＲＳ送信を行う無線装置の基本帯域プロセッサ２０３、３０６は、複数のＮ個の繰り返しシフトバージョンのどれをＤＭＲＳ送信に使用するか、所定のルールに従って決定する。例えば、セルに割り当てられるＮ個の繰り返しシフトバージョンが［ｋ、（ｋ＋１）、・・・（ｋ＋Ｎ−２）、ｋ＋Ｎ−１］と表される場合には、所定のルールは、次のようになる。即ち、実際の送信ランクが１であるときには繰り返しシフトバージョンｋが使用され；実際の送信ランクが２であるときには繰り返しシフトバージョンｋ及び（ｋ＋１）が使用され；等々となる。
【００６６】
以上に述べた原理は、整合型マルチポイント受信及び送信（ＣｏＭＰ）にも適合できることが理解されよう。
【００６７】
同じＣＡＺＡＣシーケンスを使用できるセルの数は、どれほど多くの繰り返しシフトバージョンが各セルに必要であるか（例えば、そのセルの最大送信ランクに基づく）、及び同じＣＡＺＡＣシーケンスを共有するセルのグループにおけるＤＭＲＳ送信間の最大遅延分散に依存する。１６．６７μｓ巾のＯＦＤＭ記号及び約０．４μｓの遅延分散の例では、ＣＡＺＡＣシーケンスの約４０までの繰り返しシフトバージョンを使用することができ、そして４つの繰り返しシフトバージョンが各セルに割り当てられる場合には、グループ内に完全に直交するＤＭＲＳ送信を与えるために１０個までのセルのグループにより同じＣＡＺＡＣシーケンスを使用することができる。このように、セルグループのサイズは、最大送信ランクに依存する。
【００６８】
セルは、２つ以上のセルグループの一部分でよい。例えば、セルは、セルに割り当てられる周波数帯域巾の第１の周波数領域における送信のための第１セルグループの一部分、及びセルに割り当てられる周波数帯域巾の第２の周波数領域における送信のための第２の異なるセルグループの一部分である。第１のセルグループ内で第１の周波数領域において第１セルのＤＭＲＳ送信に排他的に割り当てられるＣＡＺＡＣシーケンスの繰り返しシフトバージョンは、第１のセルグループに含まれない第２のセルグループの１つ以上のセルにおいて第２の周波数領域でのＤＭＲＳ送信に使用される。例えば、第１の周波数領域は、主として、セルカバレージエリアの縁にあるＵＥへの又はＵＥからの送信に使用され（又は予約され）、ここで、干渉セル（又は潜在的な干渉セル）の数は、比較的多く（従って、第１のセルグループにおけるセルの数は比較的多く）；そして第２の周波数領域は、主として、セルＡＰ（２ｂ）に比較的接近したＵＥへの又はＵＥからの送信に使用され（又は予約され）、ここで、干渉セルの数は、比較的少ない（従って、第１のセルグループにおけるセルの数は比較的少ない）。この種の構成は、セルにわたるＣＡＺＡＣシーケンスの繰り返しシフトバージョンの限定数の効率的使用を良好に促進する一方、セル間干渉の軽減／打ち消しが要求される地理的位置においてＤＭＲＳ送信間に充分な程度の直交性を保証することができる。最大ランク（及びＤＭＲＳリソース割り当て）は、周波数特有の仕方で定義される。例えば、ある周波数リソースでは（例えば、あるＰＲＢ／ＰＲＢグループでは）、セルの最大ランクが２つしかなく、一方、他の周波数リソースでは（例えば、他のＰＲＢ／ＰＲＢグループでは）、最大ランクが４つある。例えば、これは、個々のＵＥに対する最大ランク（及びＤＭＲＳリソース割り当て）を、その地理的位置がＵＥにセル間干渉を受けさせる程度に従って、及び／又はＵＥがアクセスポイント（ＡＰ）にどのように接近するかに従って、調整できるようにする。上述した例では、第１の周波数領域の最大送信ランク（セルカバレージエリアの縁にあるＵＥへの／ＵＥからの送信に対する）は、比較的低く（例えば、２）；そして第２の周波数領域の最大送信ランク（セルＡＰ  ２ｂに比較的接近したＵＥへの／ＵＥからの送信に対する）は、比較的高い（例えば、４）。
【００６９】
図６は、受信装置において、例えば、同じＰＲＢで４つ以上のＤＭＲＳ送信を処理する例を示す。受信装置のプロセッサ２０３、３０６は、単一の相関器を使用して、単一のＰＲＢで受信した信号の集合体を基線ＣＡＺＡＣシーケンスに対して相関させることにより、セルグループにおける異なる送信装置（ＵＥ又はｅＮＢ／ＡＰ）によるＤＭＲＳ送信を区別する（従って、受信装置と各送信装置との間の各無線チャンネルに関するチャンネル情報を得る）ことができる。異なる無線チャンネルに関するこのチャンネル情報は、例えば、受信装置に意図されたデータ送信を復調するときに受信装置の（基本帯域）プロセッサ２０３、３０６によって使用される。例えば、受信装置の基本帯域プロセッサ２０３、３０６は、ＤＭＲＳ送信から導出されたチャンネル情報を使用して、共分散マトリクスを計算すると共に、その共分散マトリクスを干渉除去／合成（ＩＲＣ）技術に使用する。例えば、受信装置が送信を受信するときに通る各周波数ブロックユニット（例えば、１つのＰＲＢに対する周波数ブロック）に対して各共分散マトリクスが計算される。
【００７０】
典型的に、他のセルにおける送信が受信装置に意図された送信と干渉する程度は変化し得る。受信装置のプロセッサ２０３、３０６は、所定スレッシュホールドを越えるパワーパラメータを得るためにＤＭＲＳ送信が受信装置において測定されるところの送信装置からの送信による干渉を考慮するだけで、所定のルールに従うことができる。これは、共分散マトリクスを計算するプロセスを簡単化することができる。
【００７１】
ＤＭＲＳ送信のＣＡＺＡＣシーケンスは、異なる仕方で発生することができる。ＯＦＤＭ技術によりＤＭＲＳ送信を行う例として、ビンの数が単一ＰＲＢにおけるサブキャリアの数に等しい比較的短い基線ＣＡＺＡＣシーケンスが発生され、そして複数のＰＲＢにわたるＤＭＲＳ送信は、複数の食い違った短いシーケンスを使用する。或いは又、大きさがセルグループにより使用される合計帯域巾におけるサブキャリアの数に等しい比較的長い基線シーケンスが発生され、そして小さな帯域巾（例えば、単一のＰＲＢ）にわたるＤＭＲＳ送信は、比較的長い基線シーケンスの各部分より成る。
【００７２】
以上に述べた実施形態は、セル間の共通チャンネル干渉及び交差チャンネル干渉の軽減／打ち消しをサポートする。これは、（ｉ）ＵＥによる及び／又はアクセスポイント（例えば、ｅＮＢ）に対する送信の相対的割合が、例えば、Ｄ２Ｄ通信の使用増加及び自己バックホーリング技術におけるリレーノードの使用増加のために、高くなり；及び（ii）隣接セルに同じＰＲＢをどのように使用するかに関わりなくダウンリンク又はアップリンク送信に対してセルごとにＰＲＢを選択できることが望ましい；というセルラー通信システムにとって特に重要である。又、上述した実施形態は、単一ユーザＭＩＭＩ（ＳＵ−ＭＩＭＯ）及び複数ユーザＭＩＭＯ（ＭＵ−ＭＩＭＯ）並びにその組み合わせに等しく適用可能である。
【００７３】
上述した実施形態は、アップリンク及びダウンリンクのための送信ランクの整合を目的とする複雑なシグナリング構成を要求するものではない。セル内の送信ランクは、各セル内で動的に変化する。干渉チャンネルの送信ランクに関する知識を事前に必要とせずに、受信ノードのプロセッサ２０３、３０６は、その無線チャンネルに対して送信装置によるＤＭＲＳ送信からの干渉無線チャンネルの送信ランクを盲目的に推定し、従って、最適な干渉軽減／打ち消し戦略を採用することができる。
【００７４】
本発明の実施形態は、ＣＡＺＡＣシーケンスの異なる繰り返しシフトバージョンを使用して、セルグループにおける異なる送信器によるＤＭＲＳ送信間を区別する実施例について以上に述べた。しかしながら、セルグループにおける異なる送信器によるＤＭＲＳ送信間に充分な直交性又は充分低いクロス相関性を達成するための他の方法も考えられる。例えば、グループ内の各セルは、そのＤＭＲＳ送信に対して異なる時間−周波数リソースを使用することができる。又、ウォルシュ・アダマールコードを使用して、異なるセルにおいてＤＭＲＳ送信を分離することができる。更に、セルグループにおいて異なる送信器に異なるＣＡＺＡＣベースシーケンスを使用することもできる。又、ＣＡＺＡＣシーケンス以外のベースシーケンスを使用することもできる。他のベースシーケンスは、例えば、ＺＡＣシーケンス、コンピュータサーチベースシーケンス、及びより一般的には、同じ種類の特性をＣＡＺＡＣシーケンスとして有するベースシーケンスを含む。
【００７５】
本発明の実施形態は、ＤＭＲＳ送信の実施例について説明したが、同じ種類の技術を、チャンネル状態情報基準信号（ＣＳＩ−ＲＳ）及びサウンド基準信号（ＳＲＳ）のような他の基準信号の送信にも等しく適用することができる。
【００７６】
上述したプログラムコードは、ソフトウェアルーチン、アプレット及びマクロを含む。プログラムコードは、例えば、装置で読める非一時的データストレージ媒体から１つ以上のメモリ２０７、３０７へコピーされる。コンピュータプログラムコードは、オブジェクティブ−Ｃ、Ｃ、Ｃ＋＋、Ｃ＃、Ｊａｖａ(登録商標)、等の高レベルプログラミング言語、又はマシン言語又はアッセンブラーのような低レベルプログラミング言語であるプログラミング言語によってコード化される。
【００７７】
プログラムコードは、メモリユニット或いは磁気又は光学ディスクのようなコンピュータ読み取り可能な媒体に記憶され、それは、非一時的媒体である。又、プログラムコードは、サーバー、ホスト又は別の適当なリソースからロードすることもできる。
【００７８】
或いは又、上述した機能の幾つか或いはＵＥ６又はｅＮＢ  ２ｂで遂行される他の機能は、１つ以上の特定用途向け集積回路（ＡＳＩＣ）、チップセット、フィールドプログラマブルゲートアレイ（ＦＰＧＡ）、フォトニック集積回路、等により実施される。
【００７９】
集積回路の設計は、全般的に、高度に自動化されたプロセスである。論理レベル設計を半導体基板上にエッチングされ且つ形成される準備のできた半導体回路設計へと変換するために複雑且つパワフルなソフトウェアツールを利用することができる。
【００８０】
例えば、カリフォルニア州マウンテンビューのシノプシス・インク及びカリフォルニア州サンノセのカデンス・デザインにより提供されるプログラムは、良好に確立された設計ルール及び事前に記憶された設計モジュールのライブラリを使用して、自動的に導体を引き回し、そして半導体チップ上にコンポーネントを配置する。半導体回路の設計が完了すると、それにより得られた設計は、標準的な電子フォーマット（例えば、Ｏｐｕｓ、ＧＤＳＩＩ、等）で半導体製造ファシリティ又は製造のための“ｆａｂ”へ送信される。
【００８１】
前記で明確に述べた変更に加えて、当業者であれば、ここに述べた実施形態の種々の他の変更が本発明の範囲内でなされることが明らかであろう。
【符号の説明】
【００８２】
２：ｅＮＢ
２ａ：マクロアクセスノード
２ｂ：ローカルエリアアクセスノード
６：ＵＥ
８：他のネットワークノード
２０３：プロセッサ
２０５：アンテナ構成体
２０６：無線トランシーバ回路
２０７、３０７：メモリ
２１５：ディスプレイ
２１７：メモリ又はデータストレージエンティティ
３０１：高周波アンテナアレイ
３０３：無線トランシーバ
３０６：プロセッサ
３０９：インターフェイス
【図１】
2016521098.tif 000003
【図２】
2016521098.tif 000004
【図３Ａ】
2016521098.tif 000005
【図３Ｂ】
2016521098.tif 000006
【図４】
2016521098.tif 000007
【図５】
2016521098.tif 000008
【図６】
2016521098.tif 000009
【図７】
2016521098.tif 000010
【図８】
2016521098.tif 000011
【国際調査報告】
2016521098.tif 000012
2016521098.tif 000013
2016521098.tif 000014